(57)【要約】【課題】  子供の腹式呼吸を妨げない下半身用衣服を提供する。【解決手段】  子供用ズボン１０は、子供の腹部を覆う腹部覆い部１１と、子供の脚部を覆う脚部覆い部１２とを備える。腹部覆い部１１は、伸縮性素材で作られており、その上端縁部１１ａの高さは胸骨下端の近くに位置し、その下端縁１１ｂは子供のお腹の下端ラインに沿って下に凸の円弧形状となっている。【選択図】      図３
2005307365.tif 000002
【特許請求の範囲】
【請求項１】
子供の腹部を覆う腹部覆い部と、子供の脚部を覆う脚部覆い部とを備え、
前記腹部覆い部は伸縮性素材で作られており、その上端高さは胸骨下端の近くに位置し、その下端縁は子供のお腹の下端ラインに沿って下に凸の円弧形状となっている、下半身用子供衣服。
【請求項２】
前記腹部覆い部は、子供の胴部を取り囲む筒状であって、その下端から上方に向かって横断面積が次第に大きくなるテーパ形状を有している、請求項１に記載の下半身用子供衣服。
【請求項３】
前記腹部覆い部は、子供の胴部を取り囲む筒状であって、高さ方向の中央部が膨らんだ樽形状を有している、請求項１に記載の下半身用子供衣服。
【請求項４】
子供の腹部の下方領域を覆う下半身用子供衣服であって、その前面部分の上端縁が子供のお腹の下端ラインに沿って下に凸の円弧形状となっている、下半身用子供衣服。
【発明の詳細な説明】
【技術分野】
【０００１】
この発明は、ズボンやスカートなどの下半身用子供衣服に関し、特に腹式呼吸をする乳児や幼児に適した下半身用子供衣服に関するものである。
【背景技術】
【０００２】
腹式呼吸をする乳児や幼児のお腹を見てみると、胸骨および肋骨の下から脚の付け根の上までの腹部領域が大きく膨らんだり縮んだりしている。従来の下半身用子供衣服は、腹式呼吸をする乳幼児に対して適切なものとはいえなかった。
【発明の開示】
【発明が解決しようとする課題】
【０００３】
図１を参照して、このことを説明する。図１は、下半身用衣服の一例であるズボン４を身に着けた乳幼児を図解的に示している。
【０００４】
腹式呼吸をする乳幼児の腹部領域１は、胸骨２および肋骨３の下から脚の付け根の上まで広がっており、呼吸をするたびに大きく膨らんだり縮んだりする。従来の子供用ズボン４の上端縁４ａは、高さ方向に見て、腹部領域１のほぼ中央に位置している。通常、ズボンの上端縁４ａには腰ベルトや腰バンド等が取り付けられていてその円周方向長さが一定となっているので、大きく膨らんだり縮んだりする子供の腹式呼吸を妨げることになる。
【０００５】
この発明の目的は、子供の腹式呼吸を妨げない下半身用子供衣服を提供することである。
【課題を解決するための手段】
【０００６】
この発明に従った下半身用子供衣服は、子供の腹部を覆う腹部覆い部と、子供の脚部を覆う脚部覆い部とを備える。腹部覆い部は伸縮性素材で作られており、その上端高さは胸骨下端の近くに位置し、その下端縁は子供のお腹の下端ラインに沿って下に凸の円弧形状となっている。
【０００７】
上記構成の本発明によれば、胸骨の下から脚の付け根の上にまで広がる腹部領域全体が伸縮性素材の腹部覆い部によって覆われているので、子供の腹式呼吸を妨げない。腹部覆い部は子供の腹部の動きに追従して大きく膨らんだり縮んだりする。
【０００８】
腹部覆い部は、子供の胴部を取り囲むように筒状のものであっても良いし、子供の腹部領域のみを覆うように衣服の前面にのみ設けられるものであってもよい。
【０００９】
一つの実施形態では、腹部覆い部は、子供の胴部を取り囲む筒状であって、その下端から上方に向かって横断面積が次第に大きくなるテーパ形状を有している。子供の腹部領域は、高さ方向に見てその中央部分が最も大きく膨らむので、テーパ形状を有する腹部覆い部であれば子供に対して窮屈な感触を与えない。
【００１０】
他の実施形態では、腹部覆い部は、子供の胴部を取り囲む筒状であって、高さ方向の中央部が膨らんだ樽形状を有している。このような樽形状の腹部覆い部であれば、腹式呼吸をする子供に窮屈な感触を与えない。
【００１１】
さらに他の実施形態では、下半身用子供衣服は、子供の腹部の下方領域を覆うものであって、その前面部分の上端縁が子供のお腹の下端ラインに沿って下に凸の円弧形状となっている。この実施形態によれば、子供の腹部が下半身用衣服に覆われていないので、子供は何らの制約を受けることなくお腹を大きく膨らませたり縮ませたりして腹式呼吸をすることができる。
【発明を実施するための最良の形態】
【００１２】
図２は、下半身用子供衣服の一実施形態であるズボンを正面側から見た図であり、図３は、図２のズボンを身に着けた子供を図解的に示す図である。
【００１３】
ズボン１０は、子供の腹部を覆う腹部覆い部１１と、子供の脚部を覆う脚部覆い部１２と、腹部覆い部１１の上端縁部１１ａに通された締め付け紐１３とを備える。
【００１４】
図示した実施形態では、腹部覆い部１１は、子供の胴部を取り囲む筒状の形状であり、伸縮性素材で作られている。伸縮性素材としては、子供の腹部の動きに追従して膨らんだり縮んだりすることができるものであれば良く、例えば、伸縮性ニット地等が考えられる。
【００１５】
脚部覆い部１２は、脚部を含めて子供のお腹の下方に位置する領域を覆うものであり、その素材に制約はない。例えば、デニムのような比較的硬くて伸縮性に乏しい布地であっても良く、或いは、ニット地のような伸縮性素材であってもよい。
【００１６】
腹式呼吸をする子供の腹部領域は、胸骨２および肋骨３の下から脚の付け根の上まで広がっており、呼吸をするたびに大きく膨らんだり縮んだりする。このような腹部の動きを妨げないようにするために、腹部覆い部１１の上端縁部１１ａの高さは、胸骨２の下端の近くに位置するようにされている。また、腹部覆い部１１の下端縁１１ｂは、子供のお腹の下端ラインに沿って下に凸の円弧形状になっている。
【００１７】
筒状の腹部覆い部１１は、その下端から上方に向かって横断面積が次第に大きくなるテーパ形状を有している。このようなテーパ形状の腹部覆い部１１であれば、腹式呼吸をする子供に対して窮屈な感触を与えない。
【００１８】
図４は、下半身用子供衣服の他の実施形態であるズボンを示している。図示するズボン２０は、子供の腹部を覆う伸縮性素材からなる腹部覆い部２１と、子供の脚部を覆う脚部覆い部２２とを備える。腹部覆い部２１は、子供の胴部を取り囲む筒状であり、高さ方向の中央部が膨らんだ樽形状を有している。腹部覆い部２１の上端縁部２１ａの高さは、胸骨下端の近くに位置するようにされる。また、腹部覆い部２１の下端縁２１ｂは子供のお腹の下端ラインに沿って下に凸の円弧形状になっている。この実施形態によれば、腹部覆い部２１のうち、最も大きく膨らむ子供の腹部領域の中央部に対応する部分が最も大きな横断面積を有しているので、腹式呼吸をする子供に窮屈な感触を与えない。
【００１９】
図５は、下半身用子供衣服のさらに他の実施形態であるズボンを示している。図示するズボン３０は、前述した各実施形態と異なり、子供の腹部を覆う腹部覆い部を備えていない。すなわち、ズボン３０は、子供の腹部の下方領域を覆うものであって、その前面部分の上端縁３１ａが子供のお腹の下端ラインに沿って下に凸の円弧形状となっている。また、ズボン３０は、肩ベルト３２を備えている。
【００２０】
図５に示す実施形態によれば、子供の腹部がズボン３０によって覆われていないので、子供は何らの制約を受けることなくお腹を大きく膨らませたり縮ませたりして腹式呼吸をすることができる。
【００２１】
図６は、下半身用子供衣服のさらに他の実施形態であるスカートを示している。図示するスカート４０は、子供の腹部を覆う伸縮性素材からなる腹部覆い部４１と、子供の脚部を覆う脚部覆い部４２とを備える。腹部覆い部４１の上端縁部４１ａは胸骨下端の近くに位置し、下端縁４１ｂは子供のお腹の下端ラインに沿って下に凸の円弧形状となっている。腹部覆い部４１は、子供の胴部を取り囲む筒状であって、その下端から上方に向かって次第に横断面積が大きくなるテーパ形状を有している。
【００２２】
前述した各実施形態では、腹部覆い部が子供の胴部を取り囲む筒状を有していたが、他の実施形態として、腹部覆い部が、筒状ではなく、子供の腹部領域のみを覆うように衣服の前面にのみ設けられるものであってもよい。
【００２３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２４】
この発明は、腹式呼吸をする乳児や幼児に適した下半身用衣服として有利に利用され得る。
【図面の簡単な説明】
【００２５】
【図１】従来のズボンを身に着けた子供を図解的に示す図である。
【図２】この発明の一実施形態であるズボンを正面から見た図である。
【図３】図２に示したズボンを身に着けた子供を図解的に示す図である。
【図４】この発明の他の実施形態であるズボンを正面から見た図である。
【図５】この発明のさらに他の実施形態であるズボンを正面から見た図である。
【図６】この発明のさらに他の実施形態であるスカートを正面から見た図である。
【符号の説明】
【００２６】
１  腹部領域、２  胸骨、３  肋骨、４  ズボン、４ａ  上端縁、１０  ズボン、１１  腹部覆い部、１１ａ  上端縁部、１１ｂ  下端縁、１２  脚部覆い部、１３  締め付け紐、２０  ズボン、２１  脚部覆い部、２１ａ  上端縁部、２１ｂ  下端縁、２２  脚部覆い部、３０  ズボン、３１  脚部覆い部、３１ａ  上端縁、３２  肩ベルト、４０  スカート、４１  脚部覆い部、４１ａ  上端縁部、４１ｂ  下端縁、４２  脚部覆い部。
【図１】
2005307365.tif 000003
【図２】
2005307365.tif 000004
【図３】
2005307365.tif 000005
【図４】
2005307365.tif 000006
【図５】
2005307365.tif 000007
【図６】
2005307365.tif 000008